(57)【要約】  インターネット上でアクセスされる長期のデータ記憶、取り出し、及び維持サービスの資金を調達する方法及びシステムであり、システムに入力された目標収益率を、プールされたクライアント料金の１回払いのクライアント支払い（２０ａ）を使用して達成しようとする自動システムによって、データサービスの資金が調達される。ここで、収益率は解析され、ファンドデータ記憶部（５０）内の予め設定された基準（５０ｂ  ５０ｃ）と比較照合され、生成された収益は計算され、次に、分配された収益がデータサービスの提供に要する費用を支払うように配分され（２０ｆ）、非分配収益は将来の経費を支払うために再投資され、全てのステップは、１つ以上のコンピューティング装置又はサーバ上で実行されるソフトウェアとして実装されるファンドマネージャ（５０ａ）によって実行される。ソフトウェアにより実装されるデータベースマネージャ（３０ａ）が、クライアントごとのアカウント記録を確立し、次に、様々なデータ記憶部（１４ａ  ３０ｂ  ３０ｃ  ３０ｄ）内に記憶された識別情報及び基準を適用することによって、データサービスを管理し、データアクセスを制御する。
2016532198.tif 000002
【特許請求の範囲】
【請求項１】
コンピュータにより実行される、クライアントのデータの記憶及び取り出しのための方法であって、前記方法は、
前記クライアントについてのアカウント記録と、関連するアカウント設定及び基準とを確立するステップ（４０）と、
前記クライアントから、記憶するデータオブジェクトと、前記データオブジェクトを前記アカウント記録に関連付ける情報とを受信し（４０ｆ）、前記アカウント設定及び基準を適用することによってクライアントデータ記憶部（１４ａ  ３０ｂ）を選択するステップと、
前記アカウント設定及び基準に従って前記クライアントデータ記憶部（１４ａ  ３０ｂ）内に前記データオブジェクトを記憶するステップ（４０ｅ）と
を含み、
ここで、前記アカウント記録を確立することにおいて、前記クライアントのために記憶されるデータの合意済み最大容量に対応する１回払い料金が前記クライアントに課され、
前記方法は更に、
前記料金を、他のクライアントからも収集された料金を保持するファンドに投資するステップ（２０ｄ）を含み、前記ファンドは、投資からの収益が、各クライアントとの契約に規定され前記契約から開始される各クライアントについての少なくとも１０年の期間にわたって前記クライアントのデータを記憶する全てのコストをまかなうのに十分であることを確実にするように設定された、収益率についての目標（５０ｂ）に従って、投資オプション（５０ｃ）のセットから選択される前記投資を含む、方法。
【請求項２】
前記データオブジェクトを取り出す要求を受信するステップ（４０ｆ）であって、前記要求は、前記アカウント記録の指示と、前記要求の有効性を確認するための情報とを含む、ステップと、
前記要求が有効であることを確認するための前記情報を、前記アカウント設定及び基準、並びに前記アカウント記録と比較することによって前記要求を検証し（４０ａ）、有効である場合、前記要求に従って前記クライアントデータ記憶部（１４ａ  ３０ｂ）内の前記データオブジェクトを取り出すステップと
を更に含む、請求項１に記載の方法。
【請求項３】
前記データオブジェクトを記憶するステップ（４０ｅ）の前に、前記データオブジェクトについての圧縮レベルを選択するステップ（４０ｇ）を更に含む、請求項１に記載の方法。
【請求項４】
記憶されたデータオブジェクトを、前記データオブジェクトの取り出しを要求している通信装置（１２）による取り出しに適したファイルフォーマットであって適切な解像度を有するファイルフォーマットに変換するステップ（４０ｃ）
を更に含み、ここで、適切な解像度を提供することにおいては、ディスプレイ画面によって表示するのに適した前記データオブジェクトのための第１の解像度レベル、及び前記データオブジェクトをコピーするのに適した前記データオブジェクトのための第２の解像度レベルのうちの少なくとも１つからの選択が取り出し要求に従って行われる、請求項２に記載の方法。
【請求項５】
投資からの前記収益を解析するステップ（２０ｅ）と、
前記収益の一部のみを分配するように、解析に基づいて投資からの前記収益を配分するステップ（２０ｆ）と、
非分配収益を再投資するステップ（２０ｈ）と
を更に含む、請求項１に記載の方法。
【請求項６】
前記配分するステップ（２０ｆ）はファンドマネージャ（５０ａ）によって実行される、請求項５に記載の方法。
【請求項７】
前記目標（５０ｂ）は、所有権期間にわたって、インフレ調整済みかつ税引き後の、少なくとも年間４パーセントの収益である、請求項１に記載の方法。
【請求項８】
複数の予め規定された可能なプライバシーレベルから選択されたプライバシーレベルを、前記データオブジェクトのために設定するステップ（４０）
を更に含む、請求項１に記載の方法。
【請求項９】
請求項１に記載の方法のステップを実行するための、コンピュータプロセッサによって実行可能なモジュール（５０ａ  ３０ａ）を含む、クライアントのデータの記憶及び取り出しのためのコンピュータ実装システム。
【請求項１０】
クライアントのデータの記憶及び取り出しのためのコンピュータ実装システムであって、
記憶するデータオブジェクトと、前記データオブジェクトをアカウント記録に関連付ける情報とを前記クライアントから受信したら、前記アカウント記録に関連するアカウント設定及び基準を適用することによってデータ記憶部（１４ａ  ３０ｂ）を選択し、前記データ記憶部（１４ａ  ３０ｂ）内に前記データオブジェクトを記憶するように設けられる、データベースマネージャモジュール（３０ａ）と、
データ記憶の合意済み最大容量に対応する１回払い料金を前記クライアントに課して収集するための、及び前記料金を、他のクライアントからも収集された料金を保持するファンドに投資するための、ファンドマネージャモジュール（５０ａ）と
を備え、前記ファンドは、投資からの収益が、各クライアントとの契約に規定され前記契約から開始される各クライアントについての少なくとも１０年の期間にわたって前記クライアントのデータを記憶する全てのコストをまかなうのに十分であることを確実にするように設定された、収益率についての目標（５０ｂ）に従って、投資オプション（５０ｃ）のセットから選択される前記投資を含む、システム。
【請求項１１】
前記データベースマネージャモジュール（３０ａ）は、前記データ記憶部（１４ａ  ３０ｂ）内の前記データオブジェクトを取り出す要求を検証するように設けられ、前記要求は、前記アカウント記録の指示と、前記要求に含まれる情報を前記アカウント設定及び基準と比較することによって前記要求の有効性を確認するための情報とを伴う、請求項１０に記載のシステム。
【請求項１２】
前記データベースマネージャモジュール（３０ａ）は、前記データオブジェクトのファイルフォーマットを、前記データオブジェクトの取り出しを要求している通信装置（１２）のための適切なファイルフォーマットに変換するように設けられ、適切なファイルフォーマットは、少なくとも、取り出し要求に従った前記通信装置（１２）のディスプレイ画面によって表示するのに適した前記データオブジェクトのための第１の解像度レベル、及び前記データオブジェクトをコピーするのに適した前記データオブジェクトのための第２の解像度レベルである、請求項１０に記載のシステム。
【請求項１３】
前記データベースマネージャモジュール（３０ａ）は、複数の予め規定されたプライバシーレベルから選択されたプライバシーレベルを、前記データオブジェクトのために設定するように設けられる、請求項１０に記載のシステム。
【発明の詳細な説明】
【技術分野】
【０００１】
２０１３年８月９日出願の米国特許仮出願第６１／８６４，０２６号が参照され、その優先権が主張される。
【０００２】
本発明は、インターネットクラウド内のデータ、一般にはデジタルデータの維持の分野に関する。特に本発明は、少なくとも１０年と規定される長期間にわたってデータを継続的に維持する方法及びシステムであって、インターネットクラウド内に記憶されたデータが様々な通信装置を使用して即座にかつ容易に取り出されることが可能な、方法及びシステムに関する。
【背景技術】
【０００３】
通信技術の発達はデータを物理的なものから一時的なものに変えた。今日の写真は、スクラップブック内に愛情を込めて収集される１枚の紙としてではなく、モバイルスマートフォン上に記憶されるｊｐｅｇファイルとして表される可能性がはるかに高い。無線技術と組み合わせたインターネットの進歩は、我々が生活のほとんど全てを仮想的にインターネットクラウド内で送ることを可能にしたが、我々がいつでもどこでも互いに継ぎ目なく通信することが容易に可能であるということにより、データオーバーロード及びデータ破壊というデジタル情報時代の有害な双子が生まれた。今日のデータは、しばしば複数の場所に複数のフォーマットで存在し、かつ電子メール及びその他の形態のデジタルデータと組み合わされており、データを追跡、整理、統合、及び維持するプロセスは、手に負えない困難な作業となっている。
【０００４】
データオーバーロードの問題に対する一般的な解決法は、フェイスブック社（Ｆａｃｅｂｏｏｋ，Ｉｎｃ．）によって所有されるソーシャルメディアネットワーキングサービスであるフェイスブック（Ｆａｃｅｂｏｏｋ）（登録商標）や、ヤフー！社（Ｙａｈｏｏ！  Ｉｎｃ）によって所有される、オンライン写真アルバムアーカイビングサービスを提供するサイトであるフリッカー（Ｆｌｉｃｋｒ）（登録商標）などの、サードパーティのソーシャルメディアサイト上にデータをアップロードすることである。データ所有者は、これらのサイトがそのデータを維持すると信じているが、むしろその正反対がしばしば真実である。データストレージは高価であり、かつデータの通信速度は伝送されるデータの量に直接関連するため、ソーシャルメディアサイトは、データ共有を容易にするために、公然と又はひそかに、定期的にファイル圧縮を実行している。節約された空間は再利用されるため、そのような圧縮はしばしばデータを永遠に破壊し、データ所有者がデータの別の非圧縮コピーをどこか他の場所に有していない限り、廃棄されたデータは回復不可能に失われる。圧縮によるデータ損失は、視覚データに関する一般的な問題であるが、全てのデジタルファイルに起こり得る。例えばＭＰ３フォーマットで記憶された音楽は、ＣＤ上に記憶された音楽の繊細さ及び奥行きを欠いている。いくつかのサードパーティソーシャルメディアサイトでは、データ所有者がそのデータの圧縮レベルを選択することが可能であり、多くのサイトでは、アップロードの前にデータ所有者がそのデータを圧縮するよう、従って一部を廃棄するよう強制する。
【０００５】
更に悪いことに、多くの「無料」サービスは、データへのアクセスを販売することによってそれらのサービスの資金を調達している。例えば２０１３年４月１０日発行のウォールストリートジャーナル（Ｗａｌｌ  Ｓｔｒｅｅｔ  Ｊｏｕｒｎａｌ）では、記事「買い信号：フェイスブックがデータターゲティングを拡大（Ｂｕｙ  Ｓｉｇｎａｌ：Ｆａｃｅｂｏｏｋ  Ｗｉｄｅｎｓ  Ｄａｔａ  Ｔａｒｇｅｔｉｎｇ）」において、広告主たちがどのようにしてフェイスブック社のアカウントへのアクセスを購入するかが詳述されている。結局のところデータ所有者は、そうとは知らずにデータプライバシーを「無料」データ共有及び記憶サービスと交換している。フェイスブック社にとって、情報へのアクセスを販売することは、会社がデータ所有者に課金せずにそのサービスの代価を払うことができる唯一の方法である。多くのデータ所有者はその情報の販売を不快に思っているが、プライベートデータ記憶は継続的コストが高く、バックアップサービスに主として限定されており、データ所有者がその写真などを他者と容易に共有できるフェイスブック社などの真のソーシャルメディアとは異なる。
【０００６】
データ所有者がデータをソーシャルメディアサイトに記憶し続けるもう１つの一般的な理由は、データマイニングの心配にもかかわらず、便利なクラウドソリューション内にそのデータが恒久的に記憶されると信じているからである。残念なことに、それらの所有者の多くが、意識的に維持しようとしているまさにそのデータを制御できなくなる。デジタルデータを対象とする法律は寄せ集めであるため、かつ／又は存在しないため、あらゆるサードパーティのデータサービス会社はデータ所有者と個人的に契約する。これらの契約は、強力なプライバシー法に対する懸念により、データ所有者の生存中の及び死亡後のデータアクセス及び転送を、しばしば除外するか又は厳しく制限する。これらの会社の大多数は、死亡したデータ所有者の遺産管理人、親族、又は友人と契約上の関係を有さないため、死亡したデータアカウント所有者からの指示なしには、データ所有者のアカウント内に記憶されたデータへのアクセスを提供することはできず、アカウントを委譲することもできない。
【０００７】
プライバシーに関して言えば、会社は、残された配偶者による死亡者のデータアカウントへのアクセスの要望に同情的だが、データ所有者は特定のデータを他者と共有することは決して意図していなかった可能性があるというプライバシーへの懸念が優勢である。本発明者らは、アカウント内に記憶される個々のデータオブジェクトの各々について、カスタマイズされたプライバシーレベル設定を提供する、現在利用可能ないかなるシステムも知らない。従っていくつかの場合には、データ所有者のアカウントは恒久的にロックされ、全てに対してアクセスが拒否され、他の場合には、全てのデータがアクセス可能だが不変となる。全ての場合において、データがアクセス可能であってもなくても、記憶サービスの料金が支払われていないならば、又は無料アカウントの場合に、ある期間にわたって使用されていないならば、それらの使用されていないアカウントに割り当てられたデータストレージが、会社に収入をもたらす可能性を有するアクティブなアカウントのために使用されることを可能にするために、データは最終的にサードパーティのサイト所有者によって破壊される。従って恒久的、継続的なデータ記憶は現在のところ存在せず、なぜなら継続的な資金調達メカニズムがなければ、それは高価すぎて維持されないからである。
【０００８】
データのオーバーロードを管理すること、継続的なデータ維持を達成すること、及び他者がデータにアクセスすることを可能にすることという真の問題に関する多数の記事が過去数年間に出現した。２０１３年２月１日のウォールストリートジャーナル（Ｗａｌｌ  Ｓｔｒｅｅｔ  Ｊｏｕｒｎａｌ）の「なんと混乱したウェブを我々は後に残すことか（Ｗｈａｔ  ａ  Ｔａｎｇｌｅｄ  Ｗｅｂ  Ｗｅ  Ｌｅａｖｅ）」では、夫の早すぎる死の後に、残された配偶者が夫のデジタル資産及びアカウントを処理しようとしたときのいくつかの不満について論じられている。２０１３年３月１２日のニューヨークタイムズ（Ｎｅｗ  Ｙｏｒｋ  Ｔｉｍｅｓ）紙の記事「少なくとも仮想的になら、あなたは不死になれる（Ｈｅｙ，ａｔ  Ｌｅａｓｔ  Ｙｏｕ  Ｃａｎ  ｂｅ  Ｖｉｒｔｕａｌｌｙ  Ｉｍｍｏｒｔａｌ）」では、人々が記憶に残されることを可能にする技術の能力について、及び一部の人々がそのデータをいかにしてアーカイブし維持しようとしているかについて論じられている。２０１１年１月５日のニューヨークタイムズマガジン（Ｎｅｗ  Ｙｏｒｋ  Ｔｉｍｅｓ  Ｍａｇａｚｉｎｅ）にある別の記事「あなたが死んだときのサイバースペース（Ｃｙｂｅｒｓｐａｃｅ  Ｗｈｅｎ  Ｙｏｕ’ｒｅ  Ｄｅａｄ）」では、急死した個人のオンラインデータを救おうと必死に試みたが失敗した友人及び家族の苦悩について特集している。彼らの言い分はあまりにも共通しており、それは次のようなものである。故人のフリッカー（Ｆｌｉｃｋｒ）（登録商標）写真アカウントが、他の誰もそれを更新できなかったため失効した。個人のブログはオンラインのままであったが、無料アカウントの記憶データであったためその長期にわたる存続は不確実で、パスワードがなければ他の誰もその存続性を保つためにアカウントを維持することができなかった。ここに列挙した記事はこの問題に関して公開された多数の記事のサンプルであるが、有効な解決法を有する記事は１つもない。
【０００９】
最近、いくつかの会社が、期間が一般に１０年未満の、従来型の加入サービスではない長期のサービスに対して１回払いの料金を課金することを試みたが、それらの会社が破綻したときに顧客は、サービスが終了して記憶されているデータが破壊される前に、そのデータをサービスデータベースから取り出すようにとの突然の通知を受け取った。
【００１０】
人のデジタルな作品、生活、及び遺産は、死亡後にどうなるのか。現在のところ、インターネットクラウド内のデータの維持は、先行きが見えず不確実性に満ちている。遺産関連の弁護士でさえ、デジタル資産を相続人に譲渡するための効果的な遺産相続計画を作成しようと苦心している。
【００１１】
必要とされているのは、恒久的かつ継続的にデータの維持、アクセス、及び制御を行うための単純な方法及びシステムであって、そのようなサービスに資金を供給するために定期的なメンテナンス料金を必要とせず、データを広告主から秘密に維持し、データ所有者が、アカウントと関連付けられたデータへのアクセスを、記憶された各データオブジェクトについてのプライバシーレベルを用いて許可することを可能にする、方法及びシステムである。
【００１２】
更に、必要とされているのは、データシステム及び記憶されたデータにアクセスするために、スマートフォンなどの通信装置を使用して世界中の任意の位置からの要求に応じて容易にアクセスされる方法及びシステムである。
【発明の概要】
【００１３】
従って、本発明の第１の態様では、クライアントのデータオブジェクトの記憶及び取り出しのためのコンピュータにより実行される方法が提供され、この方法は、クライアントについてのアカウント記録と、関連するアカウント設定及び基準とを確立し、記憶するデータオブジェクトと、データオブジェクトをアカウント記録に関連付ける情報とを受信したら、アカウント設定及び基準を適用することによってクライアントデータ記憶部を選択し、アカウント設定及び基準に従ってクライアントデータ記憶部内にデータオブジェクトを記憶することを含み、ここで、アカウント記録を確立することにおいて、クライアントのために記憶されるデータの合意済み最大容量に対応する１回払い料金がクライアントに課され、次に収集されて、他のクライアントからも収集された料金を保持するファンドに投資され、ファンドは次に、投資からの収益が、クライアントのデータを少なくとも１０年にわたって記憶する全てのコストをまかなうのに十分であることを確実にするように設定された、収益率についての目標に従って投資される。
【００１４】
本発明の第１の態様によれば、本発明は、データオブジェクトを記憶する前にデータオブジェクトについての圧縮レベルを選択するステップを更に提供し、ここで、記憶する前のデータオブジェクトの圧縮レベルは、記憶されるデータオブジェクトについて選択される圧縮レベルと同じ圧縮レベル（ファイルサイズ）であってもよく、又は、１回払い料金で購入されたデータストレージの割り当てにおけるクライアントの選択を可能にするために、記憶されるデータオブジェクトについては異なる圧縮レベルであってもよい。
【００１５】
更に、本発明の第１の態様によれば、本発明は、データオブジェクトを取り出す要求を受信し、要求は、関連するアカウント記録の指示と、要求の有効性を確認することを目的とする情報とを含み、次に、要求と共に含まれる情報を、アカウント設定及び基準、並びにアカウント記録内の情報と比較することによって、要求を検証するステップを更に提供する。更に、アカウント設定及び基準は、複数の予め規定された可能なプライバシーレベルを提供し、それら複数のプラバシーレベルから各データオブジェクトについてのプライバシーレベルが選択される。従って、取り出す要求が検証される際に、アクセスが要求されているデータオブジェクトに対して選択されたプライバシーレベルに部分的に基づいて、アクセスは許可されるか又は拒否される。
【００１６】
更に、本発明の第１の態様によれば、本発明は、記憶されたデータオブジェクトを、データオブジェクトの取り出しを要求している通信装置による取り出しに適したファイルフォーマットであって、適切な解像度を有するファイルフォーマットに変換するステップを更に提供し、ここで、適切な解像度を提供することにおいては、ディスプレイ画面上でデータオブジェクトを表示するのに適した第１の解像度、及びデータオブジェクトをコピーするのに適した第２の解像度のうちの少なくとも１つからの選択が取り出し要求に従って行われる。データオブジェクトにアクセスする要求は、所望されるアクセスのタイプに関する情報を含み、スマートフォン又はその他の通信装置上でデータオブジェクトを表示するための高速アクセスについては、第１の解像度が表示のために適切であるが、データオブジェクトをコピーするためには不適切であり、その場合は、より大きなデータファイルを有する第２の解像度が適切であり、しかしアクセスのためにより多くの時間が必要となる。
【００１７】
更に、本発明の第１の態様によれば、本発明は、投資からの収益を解析するステップと、収益の一部を分配し全ての非分配収益を再投資するように、解析に基づいて投資からの収益を配分するステップとを更に提供する。収益を解析することにおいて、収益率目標は、所有権期間にわたって、インフレ調整済みかつ税引き後の計算で、少なくとも年間４パーセントの収益である。
【００１８】
本発明の第２の態様は、本発明の第１の態様による方法のステップを実行するための、コンピュータプロセッサによって実行可能なモジュールを含む、クライアントのデータの記憶及び取り出しのためのコンピュータ実装システムを提供する。
【００１９】
本発明の第３の態様は、記憶するデータオブジェクトと、データオブジェクトをアカウント記録に関連付ける情報とをクライアントから受信したら、アカウント記録に関連するアカウント設定及び基準を適用することによってデータ記憶部を選択し、データ記憶部内にデータオブジェクトを記憶するように提供される、データベースマネージャモジュールを含む、クライアントのデータの記憶及び取り出しのためのコンピュータ実装システムを提供する。
【００２０】
本発明の第３の態様によれば、本発明は、データ記憶の合意済み最大容量に対応する１回払い料金をクライアントに課して収集するための、及びその料金を、他のクライアントからも収集された料金を保持するファンドに投資するための、ファンドマネージャモジュールを提供し、ファンドは、投資からの収益が、各クライアントとの契約に規定されその契約から開始される各クライアントについての少なくとも１０年の期間にわたってクライアントのデータを記憶する全てのコストをまかなうのに十分であることを確実にするように設定された、収益率についての目標に従って、投資オプションのセットから選択される投資を含む。更にデータベースマネージャモジュールは、データ記憶部内に記憶されたデータオブジェクトを取り出す要求であって通信装置によって行われる要求を、要求の有効性を確認するために要求に付随する情報をアカウント設定及び基準と比較することによって評価するように提供される。また更に、データベースマネージャモジュールは、データオブジェクトのファイルフォーマットを、要求に従ったファイルフォーマットに変換するように提供され、ファイルフォーマットは少なくとも、通信装置のディスプレイ画面によって表示するのに適した第１の解像度レベル、及びデータオブジェクトをコピーするのに適した第２の解像度レベルである。また更に、データベースマネージャモジュールは、複数の所定の可能なプライバシーレベルから選択されたプライバシーレベルを、データオブジェクトのために設定するように提供される。
【００２１】
本発明の特徴及び利点は、添付の図面に関連して提示される後続の詳細な説明を考慮することにより明らかになるであろう。
【図面の簡単な説明】
【００２２】
【図１】本発明による、インターネットクラウド内のデータオブジェクトの長期の記憶及び取り出しのためのシステムを示す図である。
【図２】図１のシステムを使用してクライアントがデータオブジェクトの記憶及び取り出しを行う方法を示す図である。
【図３】図１のシステムのための資金調達方法を示す図である。
【発明を実施するための形態】
【００２３】
本発明による、インターネットクラウド内のデータオブジェクトの恒久的、継続的なデータ維持及び取り出しを提供する方法及びシステムが、図１〜図３に示されている。
【００２４】
図１を参照すると、本発明は、１つ以上のクライアント１０ａからのデータオブジェクトの記憶及び取り出しのためのシステムを提供する。当該システムは、目標駆動型の自動投資マネージャであるファンドマネージャ５０ａと、クライアント１０ａによってデータベースマネージャ３０ａを介して確立されるアカウント設定及び基準に従ってクライアント１０ａからのデータをローカルクライアントデータ記憶部３０ｂ又はリモートクライアントデータ記憶部１４ａ内に記憶するデータベースマネージャ３０ａとを含む。クライアントデータの記憶及びその後の取り出しのための全てのコストを含むデータベースマネージャ３０ａの運用コストは、データ記憶及び取り出し空間の最大容量について、クライアント１０ａに、及び本発明によって提供されるデータ記憶及び取り出しサービスにやはり関与しているそれぞれの他のクライアントに、１回払い料金を課すことによって蓄積されるファンドを使用してファンドマネージャ５０ａによって行われる投資の収益の一部を使用して支払われる。
【００２５】
データベースマネージャ３０ａ及びファンドマネージャ５０ａは両方とも、１つ以上のコンピューティング装置又はサーバ上で動作するように提供されるソフトウェアとして実装され、従ってコンピューティング装置又はサーバがアクセス可能なメモリ装置上の実行可能コードとして、それぞれのコンピューティング装置又はサーバのオペレーティングシステムが起動手順においてロードされた後に記憶される。オペレーティングシステム（１つ又は複数）はその場合、ファンドマネージャ５０ａ及びデータベースマネージャ３０ａをメモリ内にロードし、それらの実行を開始する。
【００２６】
実際の運用において、クライアント１０ａは最初に、本発明によるサービスを提供するデータ管理プロバイダすなわちＤＭＰ１０ｂとの間で処理を行い、クライアントアカウント１０を形成し、それによりＤＭＰ１０ｂは、データ記憶及び取り出しサービスを提供するデータシステム３０を長期にわたって、又はいくつかの実施形態では少なくとも１０年にわたって維持することを約束し、本発明の目的は、データ記憶及び取り出しサービスを恒久的に提供することであり、本発明の別の目的は、データオブジェクトのフル解像度を全記憶期間にわたって維持することである。
【００２７】
１回払い料金の支払いの後、又は、合計で１回払い料金と合意済みの利息とに達する、合意済みの回数の支払いのうちの少なくとも最初の１回の支払いの後、ファンドマネージャ５０ａはデータベースマネージャ３０ａと相互作用（ｉｎｔｅｒｆａｃｅ）して、クライアントアカウント１０の記録を確立し、この記録は次にデータベースマネージャ３０ａによってアカウント記録データ記憶部３０ｄ内に記憶される。ここでの情報は、名前、住所、及びその他の識別情報、並びに購入された記憶及び取り出し空間の容量などの情報を含む。
【００２８】
次に、クライアント１０ａはデータベースマネージャ３０ａと相互作用（ｉｎｔｅｒｆａｃｅ）して、アカウント設定及び基準を確立し、データベースマネージャ３０ａはこれを、対応するアカウント設定及び基準データベース記憶部３０ｃ内の１つ以上の記録として、それらがアカウント記録データ記憶部３０ｄ内のクライアントアカウントについての記録と関連付けられるように記憶する。
【００２９】
最後に、クライアント１０ａはデータベースマネージャ３０ａと相互作用（ｉｎｔｅｒｆａｃｅ）して、データオブジェクトを記憶のために提供する。図１及び図２を参照すると、特定のクライアントアカウントと関連付けられたクライアントデータ記憶部１４ａ  ３０ｂへのアクセス要求４０ｆが、クライアント１０ａによって、通信装置１２を使用してインターネットクラウド１４上で行われる。用語「通信装置」は本明細書では、データシステム３０のウェブインタフェースに接続することが可能な、任意の人によって所有されるコンピュータ、スマートフォン、タブレット、又は別の電子装置などの任意の装置を含む。
【００３０】
要求は次に、データベースマネージャ３０ａが、各関連するデータ記憶部３０ｃ、３０ｄ内に記憶されたアカウント設定及び基準とアカウント記録とを適用することによって検証される４０ａ。要求が有効でない場合、要求は拒否され、クライアントデータ記憶部１４ａ  ３０ｂへのアクセスは提供されない。
【００３１】
要求が有効である場合、データベースマネージャ３０ａはデータオブジェクトの記憶についてのその要求を処理する。アカウント記録データ記憶部３０ｄ内に記憶された情報と一致するクライアント１０ａのアイデンティティ指定情報を伴うデータオブジェクトを受信すると、データベースマネージャ３０ａは、アカウント記録データ記憶部３０ｄを参照して、特に、クライアントが購入した空間の総量を調べ、アカウント設定及び基準データ記憶部３０ｃを参照するためのインデックスを判定し、データベースマネージャ３０ａは次にこれにアクセスして、データオブジェクトをどこに記憶するか、及びいくつかの実装では、どのレベルの暗号化を使用するか、後続のアクセスのために何らかの特別なパスワード又はその他のセキュリティ対策が必要かどうかを判定する。データオブジェクトは次に記憶される４０ｅ。いくつかの実施形態では、記憶されるデータオブジェクトの圧縮レベル４０ｇは、記憶されていないデータオブジェクトの圧縮レベルとは異なり、一般に、クライアント１０ａによって決定される、より高い圧縮レベルを有する記憶されるデータオブジェクトにより、クライアント１０ａは、購入されたデータ記憶及び取り出し空間の容量をどのように使用するかの決定において、どのデータが圧縮される（従って必要な記憶空間を減らす）ことが可能か、及びどのデータがその元の非圧縮状態に維持されなければならないかを決定することによって、制御を行うことが可能になる。いくつかの実施形態では、記憶されるデータオブジェクトのファイルフォーマットは、クライアント１０ａの要求によって、又はデータベースマネージャ３０ａが必要とみなした場合にファイルフォーマットを自動的に変更することによって、元の記憶前のファイルフォーマットに比較して異なるファイルフォーマットであってもよい。ｊｐｅｇ及びｐｄｆなどの現在一般に使用されている多くのファイルフォーマットは、技術の進歩によって将来は一般的に使用されなくなる可能性があり、従って比較的「古い」ファイルフォーマットは比較的「新しい」ファイルフォーマットに比較してより大きな容量のデータ記憶及び取り出し空間を占める可能性があり、従ってクライアント１０ａ又はデータベースマネージャ３０ａは、記憶及び取り出しに関連するコストを減らすために、必ずしもデータを削除することなしに、ファイルフォーマットを変更することを選択してもよい。
【００３２】
ローカルクライアントデータ記憶部３０ｂは一般に、ＤＭＰ１０ｂによって管理される単一のデータベース記憶ユニット又はいくつかのデータベース記憶ユニットとして提供され、これはインターネットクラウド１４によってアクセスされず、かつクライアントのデータを記憶する。「データオブジェクト」は、クライアント名と関連付けられたデジタル写真などの、本明細書の文脈においてはデータオブジェクトを特定のクライアントに関連付ける情報を含む、デジタル形態での論理的に関連する情報である。「データ記憶部」は、論理的に関連するデータオブジェクトのセットのデータリポジトリを意味し、データベースを含む。「データベース」は、単数形又は複数形で、オンサイト内、オフサイト内、又はインターネット１４を介してアクセス可能な遠隔データベース内に、クライアントによって所有されるデータを、機器又はアセンブリの所有権又は制御に関係なく記憶する機器又はアセンブリを意味する。リモートクライアントデータ記憶部１４ａは、サードパーティのソーシャルメディアサイト、オンラインバンクなどのその他のサイト、及びクライアントのためのデータ記憶をホスティングする更に他のサイトを含む。ＤＭＰ１０ｂは更に、リモートクライアントデータ記憶部１４ａを所有及び運用してもよく、本発明者らは、クライアント１０ａによる、その記憶されたデータへの世界中の任意の位置からの一定したアクセス可能性を、局地的な停電にも悪天候にも任意の所与のクライアントデータ記憶部３０ｂ  １４ａの物理的破壊にも関係なく確実にするために、複数のリモートクライアントデータ記憶部１４ａを企図する。記憶を分散化し、更にシステムのアップデート及び修復を１つ以上のコンピュータに許可することにより、データシステム３０の途絶又はダウン時間は最小になる。
【００３３】
データオブジェクトを取り出す場合４０ｂ、クライアント１０ａは所望に応じて、データオブジェクトをその元の非圧縮記憶形態で、かつその元のファイルフォーマットで取り出すことを選択すること、又はデータオブジェクトを変換４０ｃ及び圧縮し、かつ／又はフォーマットを変更することを選択することが可能である。例えば、比較的大きなｊｐｅｇファイルは、ｐｄｆフォーマットに変更され圧縮される場合があり、なぜならデータオブジェクトを取り出すために使用される通信装置は、特定のファイルフォーマット又はファイルサイズを開くことができない可能性があるからである。コンピュータ又はスマートフォン画面上にデータを表示することなどの高速アクセスは一般に、迅速なアップロード及びアクセスを可能にするために圧縮フォーマットで提供される。８インチ×１０インチ（２０．３ｃｍ×２５．４ｃｍ）の写真を印刷するためにクライアント１０ａが非圧縮データオブジェクト全体へのアクセスを必要とする場合などの、深いアクセスも、通信装置１２による要求に応じて、及びアカウント基準及び設定に従って提供される。
【００３４】
各データオブジェクトは、そのアカウント記録並びにそのアカウント設定及び基準と個別に関連付けられており、クライアントデータ記憶部１４ａ  ３０ｂ及び関連するデータオブジェクトへの各アクセス要求は同様に、要求を行っている個人に関連する識別情報と関連付けられているため、データベースマネージャ３０ａは、要求している個人の識別情報を、当該のデータオブジェクトについての予め設定されたプライバシーレベル４０に関連する情報と比較することによって、そのような要求を分析及び検証４０ａすること、従って、特定のデータオブジェクトがどのようにアクセスされ得るか、許可されるアクセスのタイプ、及び誰によってアクセスされるかを制御することが可能である。アカウント記録、並びにアカウント設定及び基準を確立すること４０は、クライアントデータ記憶部１４ａ  ３０ｂ内に記憶されるあらゆるデータオブジェクトについて、複数の予め規定された可能なプライバシーレベル設定からプライバシーレベルを選択することを含む。複数の予め規定された可能なプライバシーレベル設定は、パーソナルレベルであって、この設定を有する特定のデータオブジェクトへのアクセスを、そのデータオブジェクトへの無制限のアクセス権を有するクライアント１０ａによるアクセスのみに制限する、パーソナルレベルと、パブリックレベルであって、そのデータオブジェクトにアクセスすることを、制限なしに誰にでも許可する、パブリックレベルと、中間の様々なプライバシーレベルとを含む。「アクセス」は本明細書では、データオブジェクトを表示すること、コピーすること、削除すること、共有すること、及びその他の方法で操作することを含み、例えば、特定のデータオブジェクトについてのパブリックレベル設定は、データオブジェクトを表示、コピー、共有すること、及びクライアントデータ記憶部１４ａ  ３０ｂから削除することさえ、誰にでも許可する。クライアントの友人に関連するデータについて選択されるものなどの、より制限されたプライバシーレベルは、特定のデータオブジェクトへの、例えば表示すること及び共有することなどの制限されたアクセスを許可し、データオブジェクトを破壊すること又はその他の方法で変えることを可能にするアクセスは許可しない。クライアント１０ａがプライバシーレベルを自ら設定しない場合、データベースマネージャ３０ａは、クライアントアカウント１０内で詳述された合意済みのデフォルトのアカウント設定及び基準を自動的に適用する。クライアント１０ａは、デフォルト設定を維持することを選択してもよく、又は所望に応じてアカウント設定及び基準をいつでも変更してもよい。
【００３５】
本発明者らは、記憶されたデータオブジェクトを「クライアントアカウント１０内に記憶されたデータオブジェクト」と一般に呼ぶが、このフレーズは、データベースマネージャ３０ａの決定に従ってローカルクライアントデータ記憶部３０ｂ又はリモートクライアントデータ記憶部１４ａ内に記憶された、特定のクライアントアカウント情報と関連付けられたデータを意味するということに留意されたい。
【００３６】
アカウント設定及び基準を設定する際に、プライバシーレベル設定を選択することは、クライアント１０ａが、個人をグループリスト内に分類すること、一般には、職業上のグループ、家族／友人のグループ、又はその他のグループに個人を選別することによって、複数の異なるソーシャルサークルを作り、これらのソーシャルサークルと様々な情報を共有することを可能にする。更に各グループリストは、異なる内容を共有するための複数のプライベートグループを有してもよい。例えば、家族／友人グループリストは、クライアントの母親を含む第１のグループと、クライアントの母親を含まないが個人的な親友は含む第２のグループとを備えてもよく、これにより、クライアントが親と共有したくない可能性があるデータオブジェクトを、選択した友人と共有することが依然として可能になる。プライバシーレベル設定は、データへのアクセスも制御する。
【００３７】
本発明の目的は、ソーシャルメディアサイトなどのリモートデータ記憶部１４ａをクライアント１０ａがフルに利用することを可能にし、データ記憶部３０ｂ及びリモートデータ記憶部１４ａ内に記憶されたデータへのアクセスを、プライバシーレベル設定に従って可能にすることである。いくつかの実施形態では、リモートデータ記憶部１４ａは、それらのデータをローカルクライアントデータ記憶部３０ｂに転送し、他の実施形態では、リモートデータ記憶部は、ローカルクライアントデータ記憶部３０ｂからそれらのリモートデータ記憶部へのデータフローを可能にする。このようにして、フェイスブック（Ｆａｃｅｂｏｏｋ）（登録商標）などの様々なソーシャルメディアサイト、及びオンラインバンキングなどのその他のサイト内に記憶されたデータが、クライアントアカウント１０と関連付けられたクライアントデータ記憶部１４ａ  ３０ｂに容易に転送され得るようになり、全ての情報が単一の便利な位置に統合され、かつ／又は、これらの他のリモートデータ記憶部１４ａが、アカウント設定及び基準に、及びアカウント記録に従って、ローカルクライアントデータ記憶部３０ｂ内に記憶されたデータに選択的にアクセスすることが可能になる。本発明は従って、クライアントのオンラインデータの全てを結び付ける集中化ハブである。
【００３８】
更に本発明は、各クライアントアカウント１０に、データ記憶及び取り出しサービスの一部として含まれる恒久的な固有のドメイン名を提供する。この固有のドメイン名は、クライアント１０ａによって所有され、知的財産であり、所望に応じてクライアントによって維持、転送、販売、又は放棄されることが可能である。
【００３９】
更に、アカウント記録、並びにアカウント設定及び基準を確立すると４０、クライアント１０ａは更に、クライアントデータ記憶部１４ａ  ３０ｂ内に記憶されたデータを制御するための様々な権限を有するアカウントマネージャとしての役割を果たす１人以上の個人を指定してもよい。本発明は一連のアカウントマネージャの指定を規定するが、最初に指定されたアカウントマネージャが、クライアント１０ａによって付与された権利を、そのアカウントマネージャの死亡又は制御権放棄まで保持し、そのアカウントマネージャが死亡又は制御権放棄した場合には、２番目に指定されたアカウントマネージャなどが、クライアント１０ａによって与えられた制御権の指定に従ってアカウントを制御する。争議が発生した場合は、デフォルト設定により、ＤＭＰ１０ｂがアカウントのマスタ管理者としてクライアントアカウント１０によって指定される。
【００４０】
本発明は、クライアントアカウント１０と関連付けられたあらゆるデータオブジェクトに対する完全な制御権をクライアント１０ａに提供する。ＤＭＰ１０ｂは、どのクライアントデータ記憶部１４ａ  ３０ｂ内に記憶されたどのデータオブジェクトの所有権も有さず、データ記憶及び取り出しサービスの提供における場合を除き、データをコピーする又は変更する能力を有さず、いかなるデータへのその他の権利も有さない。例えば、ＤＭＰ１０ｂは、通信装置１２によるアクセス可能性を確実にするために、記憶されたデータオブジェクトのファイルフォーマットを変えることが可能であり、しかし、クライアント１０ａの事前の許可なしには、どのデータオブジェクトへのアクセスも販売又は提供することはできない。
【００４１】
クライアントの死亡が通知されると、ＤＭＰ１０ｂはデフォルト設定に従って、クライアントの死亡の日付の時点で存在していた通りにデータを維持し、データのいかなる操作も許可しない。プライバシーレベル及びグループリストなどの設定は、デフォルト設定の下では、クライアントの死亡の日付の時点で維持される。クライアント１０ａ又はフルアカウントマネージャ（データに関してクライアントと同じ制御権を有するマネージャ）にアクセスを許可するプライバシーレベルとして規定されたパーソナルレイヤ内にデータが置かれていた場合、ＤＭＰ１０ｂはデータを保持するが、他者によるそのデータへのアクセスを防止する。これらのデフォルト規定は、クライアントの死亡後にデータがどのように制御されるかにクライアント１０ａが対処していない場合のみ効力を発揮し、アカウントマネージャを指定することによって、プライバシーレベルなどの設定はデフォルト設定を無効にし得る、ということを本発明者らは指摘する。
【００４２】
データ記憶及び取り出しサービスの提供に関連するコストは、図１及び図３に示す資金調達システム（ｆｕｎｄｉｎｇ  ｓｙｓｔｅｍ）及び資金調達方法（ｆｕｎｄｉｎｇ  ｍｅｔｈｏｄ）によって支払われる。クライアントアカウント１０の規定をＤＭＰ１０ｂが尊重することを確実にするために、ＤＭＰ１０ｂはファンドマネージャ５０ａとのインタフェースを介して、様々な異なるファンド投資オプション５０ｃを選択し、ファンドデータ記憶部５０内にそれらを記憶する。ＤＭＰ１０ｂは、ファンドデータ記憶部５０内に記憶された複数のファンド目標５０ｂ及びファンド投資オプション５０ｃに従うが、これらのオプションはＤＭＰ１０ｂによってその自由裁量で時々変更されてもよい。ＤＭＰ１０ｂは、ファンドマネージャ５０ａによって行われる投資についての目標収益率５０ｂを確立し、目標収益率は、サービスを運用する全てのコストをまかなうための十分な収益を得るよう努力することにおいていくらかのリスクを負うよう投資マネージャを駆り立てる目標としての役割を果たす。クライアント１０ａ及びＤＭＰ１０ｂがクライアントアカウント１０を確立した場合、クライアント１０ａは次に、１回払い料金の支払い２０ａのためにファンドマネージャ５０ａと相互作用（ｉｎｔｅｒｆａｃｅ）し、ファンド記録データ記憶部５０ｄを確立し、ここにファンドマネージャ５０ａは、支払われた全ての料金について作成された記録と、現在の勘定残高とを記憶し、そのような料金を投資することによって得られた収益と、サービスに関連する経費（事務所諸経費及び税金など）を支払う２０ｇために分配された収益の部分と、残りの再投資された非分配収益の部分との記録を含む。
【００４３】
ＤＭＰ１０ｂは、ファンドマネージャ５０ａとの別のインタフェースを介してファンドの残高を確認し、その自由裁量で、目標収益率５０ｂ及び／又は投資オプション５０ｃを変え、新たな投資商品２０ｉを選択してもよい。そのためにＤＭＰ１０ｂは、図示されていない情報源を介して、サービスの運用コストを考慮に入れる。収益率又は投資オプションの変更は、例えば一般に、ファンドデータ記憶部５０内に記憶された基準を変えることによって行われる。例えば収益率が計算される期間は、所望に応じて、５年、あるいはより長い又はより短い期間に設定されてもよい。
【００４４】
資金調達システムは従って、クライアントアカウント１０によって指定されファンドデータ記憶部５０内に記憶された投資基準を、アカウント記録データ記憶部３０ｄ内に記憶された情報と共に適用することによって、データ記憶及び取り出しサービスの資金を調達する、目標駆動型のシステムである。ファンドは、ファンドのための投資商品を選択し、投資家ファンド又はその他のファンドを使用してファンドの初期資本化を調整するオペレータ（図示せず）によって作られ、又は別の実施形態では、オペレータは実際には、ファンドのための投資を選択するためにファンドデータ記憶部５０の基準を適用するファンドマネージャ５０ａである。資金調達システムは、一度確立されるとコンピュータにより実行されて完全に自動化され、ファンドマネージャ５０ａは、ファンドデータ記憶部５０内の情報を適用して、（１）システムの自己資金調達を維持するための十分な収益を生成し、（２）収益の総額など、収益を解析し２０ｅ、（３）収益を分配収益及び非分配収益に配分し２０ｆ、（４）分配する収益のパーセンテージ、及びいつそのような分配が行われるかを決定し、（５）データ記憶及び取り出しサービスの提供に関連する経費の支払い２０ｇをいつどのように行うかを決定し、（６）経費２０ｅに比較した分配の十分性を解析し、（７）生成された収益が目標収益率を満たすかどうかを解析し、（８）非分配収益を再投資し２０ｈ、（９）経費に比較した分配された収益の十分性を解析する。
【００４５】
資金調達方法は、１回払い料金の支払いにより、規定された容量のデータ記憶・取り出し空間が無期限に購入されるという約束を実行する。支払われるべき料金を徴収した後２０ａ、料金は次に、ファンドマネージャ５０ａによって一緒にプールされ２０ｂ、ファンドマネージャ５０ａは、ファンドに投資基準を適用することによって２０ｃ、投資商品を選択するとともに選択した投資商品に投資し２０ｄ、ファンドを作る。ファンドは、ＤＭＰ１０ｂによって所有及び運用され、データ記憶及び取り出しサービスの資金を調達するためにのみ存在し、従って正式には使途限定ファンド（ｒｅｓｔｒｉｃｔｅｄ  ｆｕｎｄ）と呼ばれる。他の実施形態（図示せず）では、１回払い料金は、１回の料金又は支払いの代わりに、一連の定期的な支払いとして構成され、これは加入（ｓｕｂｓｃｒｉｐｔｉｏｎ）に類似しているかもしれないが、しかし一連の支払いは、支払いを継続しないとサービスの停止がもたらされる加入によって資金供給されるサービスと同じではなく、むしろ資金供給の選択肢である。「１回払い料金」は本明細書では、固定された最大容量のデータ記憶及び取り出し空間に対する固定価格を意味し、支払いが行われる回数（１回）を意味するものではなく、支払われるべき料金に等しい一連の小さな支払いなどの資金供給の取り決めを除外するものでもない。いくつかの実施形態では、資金供給の取り決めが行われる際に、少額の利息の支払いが追加されてもよい。しかし支払われるべき料金の全額を（場合によっては利息と共に）クライアント１０ａが支払ったら、データシステム３０の継続使用のために更なる支払いは要求されない。
【００４６】
ファンドは、マネーマーケットファンドに類似したインデックスファンドであってもよく、又はその他の投資商品を含んでもよい。本発明によって提供される資金調達システム及び方法は、所望のアセットクラスにファンドをさらすために、広範な投資商品に投資してもよい。ファンドは寄付ファンドではなく、なぜならＤＭＰ１０ｂは営利目的の組織であり、寄付ファンドは一般に慈善の非営利組織によって所有されるからである、ということを本発明者らは指摘する。ファンドは、税引き後かつインフレ調整済みで約４パーセントの年間収益、又は約１パーセントの四半期収益を生成し、これは次に、税金、給与などの、データ記憶及び取り出しサービスの提供に関連する経費を支払うためにファンドから支払われる。残りの全ての非分配収益は、新たな最大容量のデータ記憶及び取り出し空間の購入に伴う任意の新たなクライアント料金と共に、自動的にファンドに再投資される２０ｈ。ファンドが一度確立されると、収益を分配収益及び非分配収益に配分すること２０ｆ、及び経費の支払い２０ｇのために収益を分配することなどの、ファンドに関連する全ての後続の活動は、ファンドマネージャ５０ａによって自動的に実行され、従って資金調達方法及びシステムは完全に自動化される、ということに留意されたい。
【００４７】
「収益（ｒｅｔｕｒｎｓ）」及び「収入（ｉｎｃｏｍｅ）」は金融サービス業界における専門用語であるということを本発明者らは指摘する。本発明者らによる「収益」という語の使用は、資産を投資することによって生成される任意の形態の収益を意味し、これは、利息、配当、資本利得（実現及び非実現）、利益の分配（ｐｒｏｆｉｔ  ｄｉｓｔｒｉｂｕｔｉｏｎｓ）、株式の分配（ｓｔｏｃｋ  ｄｉｓｔｒｉｂｕｔｉｏｎｓ）、及び任意のその他の形態の、資産（株式、債券、不動産、商品、ミューチュアルファンド、上場投資信託、プライベートビジネスなど）からの収益を含む。金融サービス業界においては、「収入」はより狭い意味を有し、すなわち利息（ｉｎｔｅｒｅｓｔ）又は現金（ｃａｓｈ）の分配であり、しかし例えば資本利得（ｃａｐｉｔａｌ  ｇａｉｎ）は除外され、用語「収入」は本明細書では、金融サービス業界において一般に理解される通りに使用される。
【００４８】
いくつかの実施形態では、ＤＭＰ１０ｂは、ファンドデータ記憶部５０内のファンド基準を調節することによって、ＤＭＰ１０ｂに支払い可能な年間の分配パーセンテージを、年間４パーセント超に、又は年間４パーセント未満に変えることが可能である。そのような調節は、現在の市場諸力と、所望される収益率と、データ記憶及び取り出しシステムの支払いを行う自己持続メカニズムを作るために使途限定ファンドの資本を維持するという目標とに依存する。ファンド資本金が非常に大きいため比較的大きな収益が生成されるような場合、又は技術の進歩によりデータ記憶コストが減少しているような場合、より低い年間パーセンテージで適切にサービスの資金調達を行い得るということを本発明者らは理解している。しかし本発明者らは、ファンドからの年間の分配が複数年にわたって年間４パーセントを超過する場合に、本発明の目的の通りに恒久的にファンドが維持されることが可能であるとは考えていない。
【００４９】
資金調達システム及び方法は、データ記憶サービスに資金供給するために一定の周期的な支払いを必要とする従来技術のサービス加入モデルから、データ記憶及び取り出しサービスが切り離されることを可能にする発明の不可欠な構成要素であり、ここで、従来技術のサービス加入モデルでは、加入支払いが終了した場合にはデータ記憶サービスも同様に終了する。歴史的に、５年のサービス加入のための１回の料金支払いなどの、比較的「長い」加入期間は、固定期間中の破綻をもたらしてきた。ファンドは、寄付、信託、又はその他の資金調達方法とは異なり、ＤＭＰ１０ｂ又は他の誰によっても「横領」又は空にされ得ない安定した資金調達の流れを提供する。例えば従来技術では、継続的な資金調達を提供するために信託と非営利組織との組み合わせを使用するが、このシステムはファンドを様々な変化する状態及び連邦規制、コンプライアンスに関連する経費の増加、及びその他の不確実性にさらし、それによりこれらの解決法は、恒久的かつ十分な資金調達という目標とは相容れないものとなってきた。例えば寄付の使命は解釈に依存し、その解釈はしばしば時と共に変化する。信託を管理するよう指定された受託者は、裁量権を使用してその義務を果たし、裁量権には、受託者の判断に大きく依拠する「妥当な料金」を招く伝統的な能力が含まれる。従来技術の資金調達システムは、資金調達の管理及びデータサービスの提供の両方のために、高価な人間労働に大きく依存し、これにより、長期にわたって制御又は更には確定するのが困難なコストがもたらされる。
【００５０】
対照的に、本発明の資金調達システム及び方法は安定しており、人手による支援システムに大きく依拠せず、なぜなら一旦確立されたらそれらは完全に自動化されるからである。重要なのは、ファンド資金が、提供されるサービスの資金を調達すること以外のいかなることのためにも使用され得ず、そのようなサービスに資金を供給すること以外のいかなる理由のためにも消散され得ないということである。ファンドマネージャ５０ｂは、ファンドデータ記憶部５０内の確立された基準を適用するため、従来技術のモデルが使用される場合に可能であるようにファンド資金を他の用途のために「横領する」する能力はほとんどない。
【００５１】
従ってファンドは、データシステム３０に資金を供給するためにのみ存在する使途が限定された恒久的ファンドであり、従って、クライアントが契約した元の会社が何らかの理由で消滅したとしても、データサービスは継続して供給され得る。万一ＤＭＰがシャットダウンした場合には、ファンドマネージャ５０ａがファンドデータ記憶部５０の基準を調べて適用することに基づいて別のデータ管理プロバイダを指定することを可能にする備えが存在する。本発明者らは、その「４パーセント解決法」が、１回の料金で永久的なサービスの取り決めの支払いを行うことを容易に可能にするという難問を解決する、そのユニークな資金調達システム及び方法の構成要素と考えている。
【００５２】
上述の構成は、本発明の原理の応用を例示するものにすぎないということを理解されたい。多数の修正及び代替の構成が、本発明の範囲から逸脱することなく当業者によって考案されてもよい。
【図１】
2016532198.tif 000003
【図２】
2016532198.tif 000004
【図３】
2016532198.tif 000005
【国際調査報告】
2016532198.tif 000006